【事件の表示】
　特許第６１９７１２２号に関する訂正審判事件について、次のとおり審決する。
【結　論】
　特許第６１９７１２２号の明細書、特許請求の範囲を本件審判請求書に添付された訂正明細書、特許請求の範囲のとおり、訂正後の請求項〔１−８〕について訂正することを認める。
【理　由】
第１　手続きの経緯
　本件訂正審判の請求に係る特許第６１９７１２２号（以下、「本件特許」という。）は、２０１４年９月１１日（パリ条約による優先権主張　外国庁受理　２０１３年９月１２日　米国）を国際出願日とする外国語特許出願（ＰＣＴ／ＵＳ２０１４／０５５２２０，以下、「国際出願」という。）を特許法第１８４条の３第３項の規定により特許出願とみなされた出願（特願２０１６−５４２１１０号）であって、その請求項１ないし２０に係る発明について、平成２９年８月２５日に特許権の設定登録がなされ、平成３１年１月３１日に本件訂正審判の請求がなされたものである。
第２　請求の趣旨及び訂正事項
１　請求の趣旨
　本件訂正審判の趣旨は、「特許第６１９７１２２号の明細書、特許請求の範囲を本件審判請求書に添付した訂正明細書、特許請求の範囲のとおり、訂正後の請求項１〜８について訂正することを認める、との審決を求める。」というものである。
２　訂正事項
　本件訂正審判の請求に係る訂正（以下、「本件訂正」という。）の内容は、以下の訂正事項１〜２のとおりである（下線は、審判請求人が訂正箇所を示したものである。）。
（１）訂正事項１
　明細書の段落［０００２］、［０００３］、［０００５］、［００１０］、［００１６］、［００２７］、［００４５］、［００５３］〜［００５５］、［００５７］及び［００５８］の記載において、「体腔」を「体
管
（２）訂正事項２
　特許請求の範囲の請求項１において、「前記人工器官が体腔に植え込まれた後に該人工器官が逸脱することを抑制するために、前記拡張状態において前記コネクタが体腔の壁と係合するように構成されており」と記載されているのを、「前記人工器官が体
管
管
第３　当審の判断
１　一群の請求項について
　本件訂正前の請求項１〜８について、請求項２〜８は、請求項１を引用しているから、本件訂正は、一群の請求項に対して請求されたものであり、特許法第１２６条第３項の規定に適合する。
２　訂正要件の検討
（１）訂正の目的
ア　訂正事項１
（ア）段落【０００２】
ａ　国際出願の明細書、請求の範囲又は図面（以下、「本件国際出願時の明細書等」といい、国際公開２０１５／０３８７９０号を参照。なお、頁番号、行数（空行含む）は、当該国際公開公報のものを付記した。以下、同様。）の第１頁第１４行〜第２４行には、「An endoprosthesis may be configured to be positioned in a 
body lumen
body lumen
body lumen
body lumen
体腔
体腔
体腔
体腔
ｂ　ここで、本件国際出願時の明細書等における「body lumen」の翻訳について、「body lumen」における「body」は「体」を意味し、「body lumen」における「lumen」は「管腔」を意味することから、本件国際出願時の明細書等における「body lumen」の正しい翻訳は、「体管腔」と認められる。
ｃ　そうすると、本件特許明細書の段落【０００２】の「人工器官は、様々な医療用途において
体腔
体腔
体腔
体腔
体管腔
体管腔
体管腔
体管腔
ｄ　したがって、訂正事項１における段落【０００２】の訂正は、特許法第１２６条第１項ただし書第２号に掲げる誤訳の訂正を目的とするものに該当する。
（イ）段落【０００３】
ａ　本件国際出願時の明細書等の第１頁第２５行〜第２７行には、「Accordingly, it is desirable to provide endoprostheses that exhibit anti- migration features, while reducing the trauma to the 
body lumen
体腔
ｂ　ここで、上記（ア）ｂのとおりであるから、本件特許明細書の段落【０００３】の「したがって、逸脱防止特性を有しながらも、人工器官の除去が必要になった場合に患者
体腔
体管腔
ｃ　したがって、訂正事項１における段落【０００３】の訂正は、特許法第１２６条第１項ただし書第２号に掲げる誤訳の訂正を目的とするものに該当する。
（ウ）段落【０００５】
ａ  本件国際出願時の明細書等の第２頁第７行〜第９行には、「The connectors are configured to engage a wall of a 
body lumen
body lumen
体腔
体腔
ｂ　ここで、上記（ア）ｂのとおりであるから、本件特許明細書の段落【０００５】の「人工器官が
体腔
体腔
体管腔
体管腔
ｃ　したがって、訂正事項１における段落【０００５】の訂正は、特許法第１２６条第１項ただし書第２号に掲げる誤訳の訂正を目的とするものに該当する。
（エ）段落【００１０】
ａ　本件国際出願時の明細書等の第４頁第１８行〜第１９行には、「FIGS. 7 and 8 illustrate aspects of delivering the endoprosthesis of FIG. 1 into a 
body lumen
体腔
体腔
ｂ　ここで、上記（ア）ｂのとおりであるから、本件特許明細書の段落【００１０】の「【図７】
体腔
体腔
体管腔
体管腔
ｃ　したがって、訂正事項１における段落【００１０】の訂正は、特許法第１２６条第１項ただし書第２号に掲げる誤訳の訂正を目的とするものに該当する。
（オ）段落【００１６】
ａ　本件国際出願時の明細書等の第５頁第２０行〜第３１行には、「An exemplary implantable endoprosthesis 10 is shown in FIG. 1. The endoprosthesis 10 may be configured to be positioned in a 
body lumen
body lumen
lumen
体腔
体腔
体腔
ｂ−１　上記ａにおける本件国際出願時の明細書の記載の「body lumen」について
　上記（ア）ｂのとおりであるから、本件特許明細書の段落【００１６】における「図１に例示的な植え込み型人工器官１０を示す。人工器官１０は、様々な医療用途において
体腔
体腔
体管腔
体管腔
ｂ−２　上記ａにおける本件国際特許明細書の記載の「lumen」について
　上記「lumen」は、体の中にある「lumen」であることは、文理解釈上、明らかであるから、上記「lumen」は、「体管腔」を意味するものであり、段落【００１６】における「ステントとして示されているが、人工器官１０は、心臓、動脈、静脈、尿道、食道、気管、気管支、胆管等の器官、組織または
体腔
体管腔
ｃ　したがって、訂正事項１における段落【００１６】の訂正は、特許法第１２６条第１項ただし書第２号に掲げる誤訳の訂正を目的とするものに該当する。
（カ）段落【００２７】
ａ　本件国際出願時の明細書等の第８頁第１８行〜第２０行には、「The plurality of connectors 22 may be configured to engage a wall of a 
body lumen
body lumen
体腔
体腔
ｂ　ここで、上記（ア）ｂのとおりであるから、本件特許明細書の段落【００２７】の「複数のコネクタ２２は、人工器官１０を
体腔
体腔
体管腔
体管腔
ｃ  したがって、訂正事項１における段落【００２７】の訂正は、特許法第１２６条第１項ただし書第２号に掲げる誤訳の訂正を目的とするものに該当する。
（キ）段落【００４５】
ａ　本件国際出願時の明細書等の第１４頁第２３行〜第２８行には、「In one such embodiment, a greater thickness of the cover 30 throughout the first and second end regions of the expandable framework 12 may strengthen the cover 30 in these regions to prevent tearing and/or mucous buildup while implanted in a 
body lumen
body lumen
体腔
体腔
ｂ　ここで、上記（ア）ｂのとおりであるから、本件特許明細書の段落【００４５】の「このような実施形態では、拡張型フレーム構造１２の第１端部領域および第２端部領域全体における被覆部３０の厚さがより大きいため、これらの領域においては被覆部３０が補強され、
体腔
体腔
体管腔
体管腔
ｃ  したがって、訂正事項１における段落【００４５】の訂正は、特許法第１２６条第１項ただし書第２号に掲げる誤訳の訂正を目的とするものに該当する。
（ク）段落【００５３】
ａ　本件国際出願時の明細書等の第１６頁第３１行〜第１７頁第５行には、「FIGS. 7 and 8 illustrate aspects of delivering the endoprosthesis 10 into a 
body lumen
body lumen
body lumen
体腔
体腔
ｂ　ここで、上記（ア）ｂのとおりであるから、本件特許明細書の段落【００５３】の「図７および８に、
体腔
体腔
体管腔
体管腔
ｃ  したがって、訂正事項１における段落【００５３】の訂正は、特許法第１２６条第１項ただし書第２号に掲げる誤訳の訂正を目的とするものに該当する。
（ケ）段落【００５４】
ａ　本件国際出願時の明細書等の第１７頁第８行〜第１３行には、「As shown in FIG. 7, once a first strut row 20 exits the distal opening 82 of the delivery sheath 80, the first strut row 20 may automatically expand toward its expanded state and press against the luminal wall 92 of the 
body lumen
body lumen
体腔
体腔
ｂ　ここで、上記（ア）ｂのとおりであるから、本件特許明細書の段落【００５４】の「図７に示すように、第１ストラット列２０が運搬シース８０の先端開口８２から出ると、第１ストラット列２０が自動的に拡張状態に拡張して
体腔
体腔
体管腔
体管腔
ｃ  したがって、訂正事項１における段落【００５４】の訂正は、特許法第１２６条第１項ただし書第２号に掲げる誤訳の訂正を目的とするものに該当する。
（コ）段落【００５５】
ａ　本件国際出願時の明細書等の第１７頁第１９行〜第２２行には、「The plurality of connectors 22 extending between the first strut row 20 and the second strut row 20 may have a length sufficient to allow the first strut row 20 to fully expand to the expanded state against the luminal wall 92 of the 
body lumen
体腔
ｂ　ここで、上記（ア）ｂのとおりであるから、本件特許明細書の段落【００５５】の「第１ストラット列２０と第２ストラット列２０との間を延びる複数のコネクタ２２は、第２ストラット列２０を拡張させることなく第１ストラット列２０が完全に拡張状態まで拡張して
体腔
体管腔
ｃ  したがって、訂正事項１における段落【００５５】の訂正は、特許法第１２６条第１項ただし書第２号に掲げる誤訳の訂正を目的とするものに該当する。
（サ）段落【００５７】
ａ　本件国際出願時の明細書等の第１８頁第１行〜第４行には、「Thus, unlike other expandable endoprostheses in which expansion of the endoprosthesis tends to cause adjacent strut rows to jump out of the delivery sheath 80 uncontrollably, the endoprosthesis 10 may allow for precise and controlled placement of the endoprosthesis 10 in the 
body lumen
体腔
ｂ　ここで、上記（ア）ｂのとおりであるから、本件特許明細書の段落【００５７】の「したがって、人工器官の拡張時に隣り合うストラット列が運搬シース８０から制御不能に「跳ね出る」ことの多い他の拡張型人工器官と異なり、人工器官１０は、
体腔
体管腔
ｃ  したがって、訂正事項１における段落【００５７】の訂正は、特許法第１２６条第１項ただし書第２号に掲げる誤訳の訂正を目的とするものに該当する。
（シ）段落【００５８】
ａ　本件国際出願時の明細書等の第１８頁第７行〜第１１行には、「For example, a snapping effect or pulse generated at the moment the strut row 20 is fully exposed from the delivery sheath 80 and exits the delivery sheath 80 entirely may translate down the delivery sheath 80 to the operator and may allow the operator to feel when each strut row 20 has expanded in the 
body lumen
体腔
ｂ　ここで、上記（ア）ｂのとおりであるから、本件特許明細書の段落【００５８】の「例えば、ストラット列２０が運搬シース８０から完全に露出して運搬シース８０から完全に出る瞬間の素早い作用もしくは瞬動は、運搬シース８０を介してオペレータに伝わるため、オペレータは、各ストラット列２０が
体腔
体管腔
ｃ  したがって、訂正事項１における段落［００５８］の訂正は、特許法第１２６条第１項ただし書第２号に掲げる誤訳の訂正を目的とするものに該当する。
（ス）小括
　上記（ア）〜（シ）のとおりであるから、訂正事項１は、特許法第１２６条第１項ただし書第２号に掲げる誤訳の訂正を目的とするものである。
イ　訂正事項２
ａ　本件国際出願時の明細書等における請求の範囲の請求項１には、「wherein the connectors are configured to engage a wall of a 
body lumen
body lumen
体腔
体腔
ｂ　ここで、上記ア（ア）ｂのとおりであるから、本件特許請求の範囲の請求項１の「前記人工器官が
体腔
体腔
体管腔
体管腔
ｃ　したがって、訂正事項２は、特許法第１２６条第１項ただし書き第２号に掲げる誤訳の訂正を目的とするものである。
（２）新規事項
　本件訂正は、上記（１）のとおり、誤訳の訂正を目的とするものであって、願書に最初に添付した明細書、特許請求の範囲及び図面のすべての記載を総合することにより導かれる技術的事項との関係において、新たな技術的事項を導入するものではないから、特許法第１２６条第５項の規定に適合する。
（３）特許請求の範囲の拡張、変更
　本件訂正は、上記（１）のとおり、誤訳の訂正を目的とするものであって、本件訂正の前後で特許請求の範囲を拡張又は変更するものではないから、特許法第１２６条第６項の規定に適合する。
（４）独立特許要件
　本件訂正は、特許法第１２６条第１項ただし書第２号に掲げる事項を目的とするものを含むので、本件訂正後の請求項１〜８に係る発明が特許出願の際独立して特許を受けることができるか検討するに、本件訂正後の請求項１〜８に係る発明が特許出願の際独立して特許を受けることができないとする新たな理由は発見しない。
　したがって、本件訂正は、特許法第１２６条第７項の規定に適合する。
第４　むすび
　以上のとおりであるから、本件訂正審判の請求は、特許法第１２６条第３項の規定に適合するものである。そして、本件訂正は、特許法第１２６条第１項ただし書第２号に掲げる事項を目的とし、同条第５項〜第７項の規定に適合するものである。
　よって、結論のとおり審決する。